(57)【要約】【課題】お弁当を食べるのが楽しみになるような弁当用シートを提供することである。【解決手段】弁当用シート１０ａ〜１０ｆは、ご飯、又は、おかず上に載置可能な弁当用シートであって、海苔のような外観を有し、所定の外形を有するフィルム状の海苔シート部１２ａ〜１２ｆと、海苔シート部１２ａ〜１２ｆに表示されメッセージを有する表示部１４ａ〜１４ｆと、を備えることを特徴とする。また、弁当用シート１０ａ〜１０ｆにおいて、表示部１４ａ〜１４ｆは、海苔シート部１２ａ〜１２ｆの所定の領域においてメッセージに対応する領域を切り抜いてメッセージを表示する。【選択図】図１
0003219921.tif 000002
【実用新案登録請求の範囲】
【請求項１】
ご飯、又は、おかず上に載置可能な弁当用シートであって、
海苔のような外観を有し、所定の外形を有する海苔シート部と、
前記海苔シート部に表示されメッセージを有する表示部と、
を備えることを特徴とする弁当用シート。
【請求項２】
請求項１に記載の弁当用シートにおいて、
前記表示部は、前記海苔シート部の所定の領域において前記メッセージに対応する領域を切り抜いて前記メッセージを表示することを特徴とする弁当用シート。
【請求項３】
請求項１に記載の弁当用シートにおいて、
前記表示部は、前記海苔シート部の所定の領域に前記海苔シート部の色とは異なる色で前記メッセージが着色されていることを特徴とする弁当用シート。
【請求項４】
請求項１から請求項３のいずれか１項に記載の弁当用シートにおいて、
前記海苔シート部の前記所定の外形は、ハート、吹き出し、メガホン、水滴を含むメッセージ性が高い形状を有していることを特徴とする弁当用シート。
【考案の詳細な説明】
【技術分野】
【０００１】
本考案は、弁当用シートに関する。
【背景技術】
【０００２】
従来、お弁当には、ご飯、及び、おかずの仕切りなどに使用するためのバランなどが用いられている。本考案に関連する技術として、例えば、特許文献１には、合成樹脂フィルムのラミネートシートであって、該シートの貼合せ面に、添物の図形が印刷されているおり、前記シートの裏面または表面に吸水材を貼着したことを特徴とする魚肉汁遮蔽シートが開示されている。
【先行技術文献】
【特許文献】
【０００３】
【特許文献１】実用新案登録第３０３３２８７号公報
【考案の概要】
【考案が解決しようとする課題】
【０００４】
上記のように、従来、お弁当などに用いられているシートは上記特許文献１のように魚肉汁を遮蔽するなど機能的な面が重視されているため、お弁当を食べる際の楽しみに寄与しているとは言えない。
【０００５】
本考案の目的は、お弁当を食べるのが楽しみになるような弁当用シートを提供することである。
【課題を解決するための手段】
【０００６】
本考案に係る弁当用シートは、ご飯、又は、おかず上に載置可能な弁当用シートであって、海苔のような外観を有し、所定の外形を有する海苔シート部と、前記海苔シート部に表示されメッセージを有する表示部と、を備えることを特徴とする。
【０００７】
また、本考案に係る弁当用シートにおいて、前記表示部は、前記海苔シート部の所定の領域において前記メッセージに対応する領域を切り抜いて前記メッセージを表示することが好ましい。
【０００８】
また、本考案に係る弁当用シートにおいて、前記表示部は、前記海苔シート部の所定の領域に前記海苔シート部の色とは異なる色で前記メッセージが着色されていることが好ましい。
【０００９】
また、本考案に係る弁当用シートにおいて、前記海苔シート部の前記所定の外形は、ハート、吹き出し、メガホン、水滴を含むメッセージ性が高い形状を有していることが好ましい。
【考案の効果】
【００１０】
本考案によれば、海苔のような外観を有する海苔シート部上に作り手のメッセージを表示することが出来るため、お弁当を食べる者に楽しみに与えることが出来る。
【図面の簡単な説明】
【００１１】
【図１】本考案に係る実施形態において、弁当用シートを示す図である。
【図２】本考案に係る実施形態において、弁当用シートの変形例を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、本考案に係る実施形態において、弁当用シート１０ａ〜１０ｆを示す図である。弁当用シート１０ａ〜１０ｆは、お弁当の中に入れるご飯やおかずに載置可能なシートである。弁当用シート１０ａ〜１０ｆは、海苔シート部１２ａ〜１２ｆと、表示部１４ａ〜１４ｆとを備えている。
【００１４】
海苔シート部１２ａ〜１２ｆは、海苔のような外観を有し、所定の外形を有するフィルムシートである。海苔シート部１２ａ〜１２ｆは、銀イオンを練り込んだフィルムシートで構成されており、食品からシートに付着した雑菌の繁殖を抑え、菌を低減させる機能を有する。フィルムシートは、例えば、ポリプロピレンを用いて構成することが出来る。
【００１５】
海苔シート部１２ａ〜１２ｆは、海苔のような外観を有するように模様及び色彩が施されている。これにより、例えば、ご飯の上に載置した際に、あたかも海苔が載っているかのように見せることが出来る。
【００１６】
海苔シート部１２ａ〜１２ｆの大きさは、お弁当の大きさに合わせて予め設定することが好ましく、Ｌサイズ、Ｍサイズ、Ｓサイズなど大きさにバリエーションを持たせてもよい。
【００１７】
海苔シート部１２ａ〜１２ｆの外形は、ハート、吹き出し、メガホンを含むメッセージ性が高い形状を有している。例えば、海苔シート部１２ａの外形は、一般的な円形とは異なり、そらまめのような平面形状を有している。
【００１８】
また、海苔シート部１２ｂの外形は、アニメ・漫画などで使用される吹き出しのような平面形状を有している。海苔シート部１２ｃの外形は、メガホンのような平面形状を有している。海苔シート部１２ｄの外形は、ハート型のような平面形状を有している。
【００１９】
海苔シート部１２ｅの外形は、略ダイヤモンドのような多角形の平面形状である。海苔シート部１２ｆは、玉子型の平面形状である。ここでは、海苔シート部１２ａ〜１２ｆの外形の一例を述べているだけで、もちろん、適宜変更することが可能である。
【００２０】
表示部１４ａ〜１４ｆは、海苔シート部１２ａ〜１２ｆに表示されメッセージを有する。表示部１４ａ〜１４ｆは、海苔シート部１２ａ〜１２ｆの所定の領域においてメッセージに対応する領域が切り抜かれてメッセージが表示されている。
【００２１】
表示部１４ａは、「おつかれさま！」というメッセージを表示し、表示部１４ｂは「ＨＡＶＥ  Ａ  ＮＩＣＥ  ＤＡＹ」というメッセージを表示する。また、表示部１４ｃは、「午後も頑張ってね」というメッセージを表示する。
【００２２】
表示部１４ｄは、「ＬＯＶＥ」というメッセージを表示し、表示部１４ｅは、「のこさずたべてね」というメッセージを表示し、表示部１４ｆは、「ＴＨＡＮＫ  ＹＯＵ！」というメッセージを表示する。
【００２３】
続いて、上記構成の弁当用シート１０ａ〜１０ｆの作用について説明する。一般的に家庭ではお弁当を作る機会が多い。例えば、子供の学校の昼食や遠足などの学外行事で両親などが作ることがある。また、社会人についても近年では栄養的な観点や経済的な観点からお弁当を作って持参することが多くなっている。
【００２４】
例えば、夫が外で仕事を行い、妻が家で家事を行うといった役割分担が決まった夫婦で妻が夫のためにお弁当を作った場合について説明する。
【００２５】
妻がおかずに加えてお弁当箱にご飯を入れた後に夫にメッセージを伝えるために、例えば、「午後も頑張ってね」とのメッセージが表示された弁当用シート１０ｃや、「ＬＯＶＥ」とのメッセージが表示された弁当用シート１０ｄをご飯に載置する場合について説明する。なお、例えば、白ご飯に載置した場合は、切り抜かれた表示部のメッセージが白ご飯の白色が表示される。
【００２６】
夫が午前中の仕事を終えて、昼食でお弁当を食べようとお弁当の蓋を開けると、ご飯の上に載置された弁当用シート１０ｃに表示された「午後も頑張ってね」というメッセージや弁当用シート１０ｄに表示された「ＬＯＶＥ」というメッセージを見ると疲れが吹き飛んで昼からも頑張ろうという気持ちになることが出来る。
【００２７】
そして、弁当用シート１０ａ〜弁当用シート１０ｆの中から毎日メッセージを変えることで、「今日は、どんなメッセージがあるのかな？」とお弁当を食べる楽しみの１つにすることが出来る。
【００２８】
また、母親や父親が子供のために弁当を作り、例えば、「おつかれさま！」とのメッセージが表示された弁当用シート１０ａや、「のこさずたべてね」とのメッセージが表示された弁当用シート１０ｅをご飯に載置する場合について説明する。
【００２９】
学校の午前中の授業を終えた子供が昼食を食べる際にお弁当の蓋を開けると、ご飯の上に載置された弁当用シート１０ｅに表示された「のこさずたべてね」と可愛らしいメッセージが表示されていると普段であれば残しがちな子供もつい食べてしまうといった効果が期待される。
【００３０】
また、遠足の昼食時にお弁当の蓋を開けた際に、ご飯の上に載置された弁当用シート１０ａに表示された「おつかれさま！」といったメッセージが表示されているのを見ると昼からも頑張ろうという気持ちになるという利点がある。
【００３１】
次に、弁当用シート１０ａ〜１０ｆの変形例である弁当用シート１１ａ〜１１ｆについて説明する。図２は、弁当用シート１１ａ〜１１ｆを示す図である。
【００３２】
弁当用シート１１ａ〜１１ｆは、お弁当の中に入れるご飯やおかずに載置可能なシートである。弁当用シート１１ａ〜１１ｆは、海苔シート部１３ａ〜１３ｆと、表示部１５ａ〜１５ｆとを備えている。
【００３３】
弁当用シート１１ａ〜１１ｆは、弁当用シート１０ａ〜１０ｆとほぼ同様の構成を有しているが、大きな相違点は、海苔シート部１３ａ〜１３ｆの外形と表示部１５ａ〜１５ｆであるため、相違点を中心に説明する。
【００３４】
海苔シート部１３ａ〜１３ｆは、海苔のような外観を有し、所定の外形を有するフィルムシートである。海苔シート部１３ａ〜１３ｆは、海苔のような外観を有するように模様及び色彩が施されている。
【００３５】
海苔シート部１３ａ〜１３ｆの大きさは、お弁当の大きさに合わせて予め設定することが好ましく、Ｌサイズ、Ｍサイズ、Ｓサイズなど大きさにバリエーションを持たせてもよい。
【００３６】
海苔シート部１３ａ〜１３ｆの外形は、水滴、炎、吹き出しを含むメッセージ性が高い形状を有している。例えば、海苔シート部１３ａの外形は、楕円に棘をつけたような平面形状を有している。
【００３７】
海苔シート部１３ｂの外形は、水滴のような平面形状を有している。海苔シート部１３ｃの外形は、アメーバのような平面形状を有している。海苔シート部１３ｄの外形は、炎のような平面形状を有している。
【００３８】
海苔シート部１３ｅの外形は、矩形状の吹き出しのような平面形状を有している。海苔シート部１３ｆは、お餅を二段重ねしたような平面形状を有している。
【００３９】
表示部１５ａ〜１５ｆは、海苔シート部１３ａ〜１３ｆに表示されメッセージを有する。表示部１５ａ〜１５ｆは、海苔シート部１３ａ〜１３ｆの所定の領域において海苔シート部１３ａ〜１３ｆの色とは異なる色で前記メッセージが着色されている。
【００４０】
表示部１５ａは、「がんばれ！！」というメッセージを表示し、表示部１５ｂは「ごめんね」というメッセージを表示する。また、表示部１５ｃは、「ｅｎｊｏｙ！」というメッセージを表示する。
【００４１】
表示部１５ｄは、「ガッツだぜ！」というメッセージを表示し、表示部１５ｅは「Ｌｅｔ’ｓ  ｅａｔ！」というメッセージを表示する。また、表示部１５ｆは、「いつもありがとう」というメッセージを表示する。
【００４２】
続いて、上記構成の弁当用シート１１ａ〜１１ｆの作用について説明する。上述したように、弁当用シート１１ａ〜１１ｆは、弁当用シート１０ａ〜１０ｆとほぼ同様の構成を有するため、同様の効果を奏する。
【００４３】
上記と同様に、夫が外で仕事を行い、妻が家で家事を行うといった役割分担が決まった夫婦で妻が夫のためにお弁当を作った場合について説明する。
【００４４】
妻がおかずに加えてお弁当箱にご飯を入れた後に夫にメッセージを伝えるために、例えば、「ごめんね」とのメッセージが表示された弁当用シート１１ｂや、「いつもありがとう」とのメッセージが表示された弁当用シート１１ｆをご飯に載置する場合について説明する。
【００４５】
夫が午前中の仕事を終えて、昼食でお弁当を食べようとお弁当の蓋を開けると、ご飯の上に載置された弁当用シート１１ｂに表示された「ごめんね」というメッセージが表示されていると、前日に夫婦喧嘩があったとしても、仲直りのきっかけにすることが出来る。
【００４６】
また、弁当用シート１１ｆに表示された「いつもありがとう」というメッセージを見ると疲れが吹き飛んで昼からも頑張ろうという気持ちになることが出来る。
【００４７】
そして、弁当用シート１１ａ〜弁当用シート１１ｆの中から毎日メッセージを変えることで、「今日は、どんなメッセージがあるのかな？」とお弁当を食べる楽しみの１つにすることが出来る。
【００４８】
なお、上記では、海苔シート部１２ａ〜１２ｆ及び海苔シート部１３ａ〜１３ｆは、フィルムシートであるものとして説明するが、フィルム以外のものでもよく、例えば、紙製のシートであってもよい。
【符号の説明】
【００４９】
１０ａ，１０ｂ，１０ｃ，１０ｄ，１０ｅ，１０ｆ  弁当用シート、１１ａ，１１ｂ，１１ｃ，１１ｄ，１１ｅ，１１ｆ  弁当用シート、１２ａ，１２ｂ，１２ｃ，１２ｄ，１２ｅ，１２ｆ  海苔シート部、１３ａ，１３ｂ，１３ｃ，１３ｄ，１３ｅ，１３ｆ      海苔シート部、１４ａ，１４ｂ，１４ｃ，１４ｄ，１４ｅ，１４ｆ  表示部、１５ａ，１５ｂ，１５ｃ，１５ｄ，１５ｅ，１５ｆ  表示部。
【図１】
0003219921.tif 000003
【図２】
0003219921.tif 000004